(57)【要約】【課題】  電柱に迅速かつ簡単に装着でき、で複数の作業者が共同で柱上作業を行う場合に、その作業を効率的に行えるようにした電柱用作業足場を提供する。【解決手段】  本発明の電柱用作業足場は、２つの支持部材と足場本体部材との正面視コの字状をなし、足場ボルトにこれを装着することで、これが足場ボルトの頭部と係合して、当該足場ボルトの軸線方向に摺動するのを規制するとともに、付勢手段の付勢力により押圧手段が電柱側面を押圧することで、安定した作業足場として使用できるものである。また、本発明の作業足場は、作業者がこれに足を載せた場合に、押圧手段が電柱の側面を押圧するようにもできるし、このちからと前記付勢力との組み合わせにより、押圧手段が電柱の側面を押圧するようにも構成できる。【選択図】  図１
2012090399.tif 000002
【特許請求の範囲】
【請求項１】
付勢手段および押圧手段を内部または直下に備え、作業者の足が載せられる足場本体部材と、その長さ方向両端部からそれぞれ垂直に立設されて電柱の足場ボルトに着脱自在に装着可能な第１支持部材及び第２支持部材とを備える電柱用作業足場であって、
前記第２支持部材の装着部は前記足場ボルトの頭部と係合し、当該足場ボルトの軸線方向に沿った前記各支持部材の摺動を規制するように形成されており、
前記付勢手段により、前記押圧手段は前記足場本体部材の長さ方向に沿って外向きに突出するように構成されていることを特徴とする電柱用作業足場。
【請求項２】
力変換手段および押圧手段を有する足場本体部材と、その長さ方向両端部からそれぞれ垂直に立設されて電柱の足場ボルトにそれぞれ着脱自在に装着可能な第１支持部材及び第２支持部材とを備える電柱用作業足場であって、
前記第２支持部材は前記足場ボルトの頭部と係合し、当該足場ボルトの軸線方向に沿った前記各支持部材の摺動を規制するように形成されており、
前記足場本体部材に作業者が足をのせた場合に、前記力変換手段は当該足場本体部材の上面に受ける力をその長さ方向に沿った略同等の大きさの押圧力に変換して前記押圧手段に伝達し、当該押圧手段はそれにより当該方向に沿って外向きに突出するように構成されたことを特徴とする電柱用作業足場。
【請求項３】
前記足場本体部材はさらに前記押圧手段に対して常時その突出方向に付勢する付勢手段を備えており、前記足場本体部材に作業者が足をのせた場合にはこの付勢力が前記押圧力とともに前記押圧手段に働くようにした請求項２に記載の電柱用作業足場。
【発明の詳細な説明】
【技術分野】
【０００１】
本発明は、電柱に設けられる足場ボルト等の足場部材に取り付けて使用される電柱用作業足場に関する。
【背景技術】
【０００２】
電柱には、鉛直方向所定の間隔ごとに足場ボルトがそれぞれ側面の２か所から互いに離隔する方向に突出して設けられている。それぞれの足場ボルトの突出長さは、通常、１人の作業者がその片足を載せられる程度に設定されている。電柱上での点検や補修などの作業（以下、柱上作業という。）を行う場合、作業者はこの足場ボルトを用いて電柱に上り、これを足場にして作業を行うことになる。
【０００３】
例えば電柱上で２人の作業者が共同で作業を行う必要がある場合がある。この場合、２人の作業者は極力近づいて作業するのが好ましいが、足場ボルトの数は少ないうえ、その突出長さは前記のとおりであるので、一方の作業者がその片足を足場ボルトに乗せていると、他方の作業者はその足場ボルトとは別の足場ボルトに足を乗せることになり、接近できる距離には限界がある。また、仮に一方の作業者の足場ボルトに載せた足の上に他方の作業者が足を載せることも可能ではあるが、その場合には互いに作業が非常に行いにくくなる。その結果、柱上作業の作業効率は悪いという問題がある。
【０００４】
そこで、２人の作業者が共同で柱上作業を実施する場合には、従来から柱上作業の際の作業台や作業足場などの提案がなされ、実際にこのような作業台や作業足場が使用されている。これらは、予め作業者が電柱に昇った上で吊り上げ、チェーンやベルトなどを用いて電柱に取り付けるものである（例えば特許文献１，２参照）。しかし、作業台はある程度の重量を有しているので、吊り上げとともに電柱への取付が困難であり、電柱に取付るまでに長時間を要し、地上作業員も必要という問題がある。また、作業足場は吊り上げは比較的容易ではあるが、チェーンを用いて電柱に取り付けるのに時間がかかり、またチェーンの長さに余裕がなくなった場合にはチェーンのかけ替えが必要となるなど作業効率が良いとはいえないという問題もある（例えば、特許文献３参照）。
【０００５】
また、出願人は、簡易な電柱用作業足場についてすでに特許出願している（特許文献４参照）。この作業足場は、足場本体の長さ方向両端にそれぞれ設けられた支持部を備え、これら２つの支持部を貫通し、先端に押圧部材を備える長ボルトを有する構造を有し、電柱の足場ボルトにこの作業足場を装着した後、前記長ボルトを回すことにより電柱の側面を押圧して作業足場を固定することで、安定した作業足場として使用可能なものである。しかしながら、足場ボルトの全長よりも長い長ボルトが足場ボルト近傍に突出するため、作業者の作業に支障が生じることがあるという問題がある。
【先行技術文献】
【特許文献】
【０００６】
【特許文献１】特開平７−１０２８２７合公報
【特許文献２】実開平６−９３１３号公報
【特許文献３】特開２００９−４６８２７号公報
【発明の概要】
【発明が解決しようとする課題】
【０００７】
本発明は、前記事情に鑑みなされたものであり、電柱に迅速かつ簡単に装着でき、で複数の作業者が共同で柱上作業を行う場合に、その作業を効率的に行えるようにした電柱用作業足場を提供することを目的とする。
【課題を解決するための手段】
【０００８】
前記目的は、以下の（１）〜（３）に示す本発明によって達成される。
（１）付勢手段および押圧手段を内部または直下に有しており、作業者の足が載せられる足場本体部材と、その長さ方向両端部からそれぞれ垂直に立設されて電柱の足場ボルトに着脱自在に装着可能な第１支持部材及び第２支持部材とを備え、当該足場ボルトの突出長さと略同等の全長を有する電柱用作業足場であって、前記第２支持部材の装着部は前記足場ボルトの頭部と係合し、当該足場ボルトの軸線方向に沿った前記各支持部材の摺動を規制するように形成されており、前記付勢手段により、前記押圧手段は前記足場本体部材の長さ方向に沿って外向きに突出するように構成されていることを特徴とする電柱用作業足場。
（２）力変換手段および押圧手段を有する足場本体部材と、その長さ方向両端部からそれぞれ垂直に立設されて電柱の足場ボルトにそれぞれ着脱自在に装着可能な第１支持部材及び第２支持部材とを備え、当該足場ボルトの突出長さと略同等の全長を有する電柱用作業足場であって、前記第２支持部材は前記足場ボルトの頭部と係合し、当該足場ボルトの軸線方向に沿った前記各支持部材の摺動を規制するように形成されており、前記足場本体部材に作業者が足をのせた場合に、前記力変換手段は当該足場本体部材の上面に受ける力をその長さ方向に沿った略同等の大きさの押圧力に変換して前記押圧手段に伝達し、当該押圧手段はそれにより当該方向に沿って外向きに突出するように構成されていることを特徴とする電柱用作業足場。
（３）前記足場本体部材はさらに前記押圧手段に対して常時その突出方向に付勢する付勢手段を備えており、前記足場本体部材に作業者が足をのせた場合にはこの付勢力が前記押圧力とともに前記押圧手段に働くようにした上記（２）に記載の電柱用作業足場。
【発明の効果】
【０００９】
本発明の電柱用作業足場は、これを電柱の側面に突設されている足場ボルトに迅速かつ簡単に装着でき、作業者が柱上作業を実施する場合の安定した作業足場となる。特に、２人以上の作業者が共同で柱上作業を行う際に、この作業を効率的に実施できる。
【図面の簡単な説明】
【００１０】
【図１】本発明の電柱用作業足場の実施形態の一例を示す斜視図である。
【図２】図１に示す実施形態の構造を説明するための図である。
【図３】図１に示す実施形態の一変形例の正面断面図である。
【図４】本発明の電柱用作業足場の実施形態の別の例を示す正面断面図である。
【図５】図４に示す実施形態の一変形例の正面断面図である。
【発明を実施するための形態】
【００１１】
次に、添付図面を参照して、本発明の電柱用作業足場の実施形態について詳細に説明する。なお、以下の各図では、同一又は共通する各部については同一の符号を用い、必要のない限り重複した説明は省略する。
【００１２】
図１は、本発明の電柱用作業足場の実施形態の一例を示す斜視図を示している。また、図２は図１に示す実施形態の構造を説明するための図であり、（ａ）は正面断面図、（ｂ）は（ａ）におけるＡ−Ａ矢視図、（ｃ）は（ａ）におけるＢ−Ｂ矢視図である。これらの図に示すように、本実施形態の電柱用作業足場１は、足場本体部材１０と、その長さ方向両端からこれに垂直に立設された第１支持部材１１及び第２指示部材１３とを備えている。
【００１３】
足場本体部材１０は、作業者の足がのせられる程度の長さの長尺状の略直方体の外形を有しており、その内部には当該部材１０の長さ方向に沿った長細い開口空間１０１が設けられている。この開口空間１０１は、第１指示部材１０１下部に外向きに略矩形の開口端部１０２が形成されている。開口空間１０１の幅方向の任意の断面は略正方形、略矩形、略円形、略楕円形などの適宜の形状を採用でき、長さ方向の全長にわたって当該断面形状が連続して形成されており、その断面積は前記開口端部１０２のそれよりも大きく設定されている。
【００１４】
この開口空間１０１内には、押圧手段２０の基端側と付勢手段２５とが収容されている。ここで、押圧手段２０の基端側には、基端部２４と、これから先端に向けて延びる軸２３とが含まれる。この軸２３は略矩形の断面を有しており、この断面と略同等の断面を有し、遊びがほとんどない状態で軸２３を出し入れ可能な軸２３を開口端部１０２を通じて外部にまで延設され、その先端には軸２３の軸線に直角な方向に略矩形の平面形状を備える押圧部材２２が固定されている。軸２３の固定位置は、この押圧部材２２の第１支持部材１１に対向する面の中央領域とされている。基端部２４は、軸２３の断面積よりも相対的に大きい断面を備え、付勢手段２５は、その一端が押圧手段２０の基端部２４に固定され、他端が開口空間１０１の最奥にある壁面に固定されており、押圧手段２０に対してその突出方向外向きに付勢している。
【００１５】
第１支持部材１１は、足場本体部材１０の長さ方向電柱４０と向き合う側の端部よりこれに垂直に立設された略直方体の部材である。また、その先端面は、本実施形態においては、作業者の取り扱い易さや取り扱いの際の安全性などを考慮して、第１支持部材１１の幅を直径とする略半円形に面取りを施しているが、面取り後の形状は略半円形に限定されず、また面取りを施さなくてもよい。
【００１６】
また、第１支持部材１１の先端寄りには、足場ボルト４１を挿通させるために厚さ方向に貫通する挿通穴１２が足場本体部材１０の長さ方向に平行に穿設されている。この挿通穴１２は、第１支持部材１１の厚さ方向に平行に外側からこれを見た場合に、足場ボルト４１の頭部４１ａの断面サイズよりも僅かに大きい直径を有し、この頭部４１ａを挿通可能な貫通穴１２ｂと、当該穴１２ｂの上方に中心位置をずらした位置に足場ボルト４１の軸径よりも僅かに大きく、当該軸４１を挿通可能であり、穴１２ｂよりも相対的に小径の貫通穴１２ａと、これら２つの貫通穴の間は、貫通穴１２ａと略同等の幅で、足場ボルトの軸４１がここを挿通可能な幅の開口で連絡した略瓢箪型をなしている。
【００１７】
第２支持部材１３は、足場本体部材１０のもう一方の端部にこれに垂直に立設される略直方体の部材である。本実施形態においては、足場本体部材１０の長さ方向に平行に外側から見た場合の第２支持部材１３の平面形状は、第１支持部材１１と略同形、同サイズとされている。第２支持部材１３の第１支持部材１１に対向する面の挿通穴１２と対応する位置には、穴１４ａ、１４ｂを備える同様の形状の略瓢箪型の開口（差込穴）１４が設けられ、内部に通じている。このように、挿通穴１２と差込穴１４とを一定の位置関係とすることで、図２に示すように本実施形態の電柱用作業足場１を足場ボルト４１に装着した場合に、足場本体部材１０は足場ボルト４１の近傍に互いに略平行に配置されることになる。この差込穴１４の内部では、その上側の穴１４ａがこれと同心の相対的に大径の穴１４ｂに断続的に拡径され、係合部１５が形成されている。この差込穴１４及び係合部１５は、第２支持部材１３を厚さ方向に貫通していない。なお、係合部は、本実施形態に示すように、これを第２支持部材１３の内部に形成する必要はなく、例えば差込穴を第２支持部材１３の厚さ方向に貫通させ当該第２支持部材１３の外面においてその僅かに上方の所定位置に前記の係合部を突設し、これに足場ボルト４１の頭部４１ａが係合するようにしてもよい。
【００１８】
本実施形態の電柱用作業足場１を電柱４０の側面から突出して設けられた足場ボルト４１に装着するには、足場ボルト４１の頭部４１ａを第１支持部材１１の挿通穴１２ｂに通し、さらに頭部４１ａが係合部１５の奥側の壁面に当接するまで差込穴１４ｂ内に差込み、電柱用作業足場１を下側に押し下げて足場ボルト４１の頭部４１ａを係合部１５に係合させる。この際、バネ２５の付勢力に抗して操作するできることが好ましい。そうすると、足場ボルト４１の頭部４１ａは第２支持部材１３内の係合部１５に係合し、これによって足場ボルト４１への電柱用作業足場１の装着が完了する。係合部１５に足場ボルト４１の頭部４１ａが係合することで、第１支持部材１１及び第２支持部材１３、さらに本実施形態の作業足場１は、この足場ボルト４１の軸線に沿った摺動とともに、脱落を防止することができる。また、バネ２５によって付勢されて開口端部１０２から突出する押圧手段２０は、先端の押圧部材２２が電柱４０の側面を押圧した状態とされるので、安定した作業足場が確保できる。そして、足場ボルト４１に本実施形態の電柱用作業足場１を装着することで、足場ボルト４１自体にも作業者が片足をのせることができるだけでなく、作業足場１の足場本体部材１０にも別の作業者が片足をのせることができ、結果としてこれら２名の作業者が極力近接した状態を維持できるので、共同の柱上作業を効率よく実施できる。
【００１９】
図３は、図１及び図２に示す本発明の電柱用作業足場の一変形例を示している。この変形例は、軸２３が略円形の断面とされるとともに、開口端部１０２がこれと略同等の円形断面に形成され、遊びのほとんどない状態で軸２３を出し入れ可能とされている点、および当該軸２３に付勢手段としてのバネ２７が外嵌されている点が図１に示した実施形態と相違しており、それ以外の構成については本質的に変わるところはない。この変形例１によっても、図１及び図２に示した実施形態と同様の効果が得られる。
【００２０】
図４は、本発明の電柱用作業足場の実施形態の別の例を示している。本実施形態では、足場本体部材１０が力変換手段３２を含む構造である点で、図１〜図３に示した実施形態とは異なっており、その他の構成については本質的に変わりはない。なお、この図に示す実施形態では、押圧手段２０は図３に示す実施形態のように、その軸にバネ２７を外嵌した構成を示しているが、このバネ２７を設けない構成であってもよい。
【００２１】
この力変換手段３２は、第１指示部材１１及び第２指示部材１３の一端部同士を連結する連結部材１００と、その上面に一端が固定された付勢手段としてのバネ３４、３４と、これらの他端に固定され、バネ３４、３４によって上下動自在に固定された足のせ板３３と、その下面に配置された第１突片３５、３５と、押圧手段２０の基端部２４、２４ａにそれぞれ配置された第２突片３６、３６とから構成される。
【００２２】
第１突片３５、３５はそれぞれ、正面視略直角三角形の三角柱を足のせ板３３の下面に寝かせた状態で所定の間隔だけ離して互いに平行に配置されている。また、第２突片３６，３６は、第１突片３５，３５と同形、同サイズの正面視略直角三角形の三角柱であり、押圧手段２０の第１突片３６、３６と対応する位置に同様に寝かせた状態で所定の間隔だけ離して互いに平行に配置されている。また、第１突片３５、３５は三角柱の斜面が押圧部材２２側に向けられ、また第２突片３６、３６は三角柱の斜面が第１突片３５，３５とは反対側に向けられており、第１突片３５と第２突片３６の斜面が互いに当接した状態とされている。
【００２３】
作業者が、本実施形態を電柱の足場ボルトに装着し、足のせ板３３に足を載せることで、その足にかける力の鉛直方向成分に相当する外力が当該足のせ板３３に加えられる。そうすると、足のせ板３３がバネ３４，３４の付勢力に坑して鉛直方向下方に下がり、その下面の第１突片３５，３５がそれぞれ押圧手段２０の基端部２４、２４ａにある第２突片３６，３６にその外力を伝達する。このとき、第１突片３５および第２突片３６によって鉛直方向の外力はその方向が略垂直となり、押圧手段２０の軸に沿った略同等の押圧力に変換される。この押圧力は、バネ２７の付勢力と加え合わせられる。これにより押圧部材２２が電柱４０の側面を常時押圧するのに加え、作業者が足のせ板３３に足をのせることで、さらにその押圧力によっても押圧部材２２に加えられ、一層安定した作業足場として好適に使用できる。なお、本実施形態において、バネ２７を軸２３に設けない構成であっても、作業者が本実施形態の作業足場１を足場ボルト４１に装着し、足のせ板３３に足をのせることで、その足にかかる力の鉛直方向成分に相当する押圧力により押圧手段２０は電柱４０の側面を押圧することになり、作業中の安定した作業足場として使用できる。
【００２４】
図５は、図４に示した実施形態における力変換手段の一変形例を示している。この図に示す実施形態では、第１突片３８および第２突片３７を図４に示した例よりも相対的に大きいサイズとし、それぞれ１個ずつが足のせ板３３および押圧手段２０の基端部２４の対応する位置に設けられている。第２突片３７は、押圧手段２０の基端部２４の端部に設けられ、足のせ板３３のこれに対応する位置に第１突片３８が設けられているが、これらの配置については、互いに斜面が当接し互いに摺動するようになっていれば特に制限されない。なお、その他の構成については図４の実施形態と本質的に変わりはない。図５に示す実施形態によっても、図４に示す実施形態と同様に、作業者が足のせ板３３に足を載せることで、前記したように、バネ２７が軸２３に外嵌されている場合には、その付勢力とともに押圧力が押圧手段２０に加えられ、作業中における安定した足場として好適に使用できる。
【００２５】
以上説明したように、本発明の電柱用作業足場は、これを電柱の側面に突設されている足場ボルトに迅速かつ簡単に装着でき、バネの付勢力または当該付勢力と作業者の足にかける力の鉛直方向成分に相当する押圧力とにより作業者が柱上作業を実施する場合の安定した作業足場となる。また、本発明Ｍの作業足場を電柱の足場ボルトに装着することで、その足場ボルトに近接してもう１つの作業足場が得られるので、２人以上の作業者が共同で柱上作業を行う際に作業者がより近接した状態で作業でき、作業の効率化が図られる。また、本発明の電柱用作業足場はまた、その全長が足場ボルトの突出長さと略同等であるので、これを足場ボルトに装着した場合でも柱上作業の支障になることがない。さらに、本発明の電柱用作業足場は、簡単な構造であり軽量化が可能であるため、作業者は安全帯に固定した状態で電柱を登ることができ、吊上げ作業を省略できる。
【符号の説明】
【００２６】
１  電柱用作業足場
１０  足場本体部材
１１  第１支持部材
１２  挿通穴
１２ａ  挿通穴の上部穴
１２ｂ  挿通穴の下部穴
１３  第２支持部材
１４  差込穴
１４ａ  差込穴の上部穴
１４ｂ  差込穴の下部穴
１５  足場ボルト頭部係合部
１０１  開口空間
１０２  開口
２０  押圧手段
２２  押圧部材
２３  軸
２４  基端部
２５、２７  押圧手段の付勢手段（バネ）
３２  力変換手段
３３  足のせ板
３４  鉛直方向の付勢手段（バネ）
３５、３８  第１突片
３６，３７  第２突片
４０  電柱
４１  足場ボルト
４１ａ  足場ボルト頭部
【図１】
2012090399.tif 000003
【図２】
2012090399.tif 000004
【図３】
2012090399.tif 000005
【図４】
2012090399.tif 000006
【図５】
2012090399.tif 000007